(57)【要約】【課題】装着感に優れる吸引具用アダプタの提供。【解決手段】この吸引具用アダプタ２は、本体４を備えており、この本体４が、吸引具の一例である電気掃除機Ｃの吸引口Ｖを接続するための貫通孔の一例であるノズル部８と、ペットボトルＢ等の圧搾処理対象容器を挿入して接続するための内部空洞１０とを有しており、上記ノズル部８の内部通路１２と上記内部空洞１０とが互いに連通し、且つ、外部とも連通しており、上記内部空洞１０が、外部に対する開口部１４を有しており、この開口部１４から奥に向けて、その内径が漸減する円錐状内周面部１８を含んでいる。【選択図】図１
0003209064.tif 000002
【実用新案登録請求の範囲】
【請求項１】
本体を備えており、
この本体が、
吸引具の吸引口を接続するための貫通孔と、
圧搾処理対象容器の開口側を接続するための内部空洞とを有しており、
上記貫通孔と上記内部空洞とが互いに連通し、且つ、外部とも連通しており、
この内部空洞が、外部に開口した開口部と、この開口部から奥に向けてその内径が漸減する円錐状内周面部とを含んでいる吸引具用アダプタ。
【請求項２】
上記貫通孔は、吸引具の吸引口内に挿入されるノズル部の内部通路からなるか、又は、ノズル状の吸引具の吸引口が挿入される孔からなり、上記ノズル部が上記本体の一部を構成している請求項１に記載の吸引具用アダプタ。
【請求項３】
上記内部空洞の内周面に、圧搾処理対象容器のキャップの外周面に形成された縦突条に係合しうる、多数本の突条が形成された部分を有しており、
この突条が、上記内部空洞の中心軸方向に延びている請求項１又は２に記載の吸引具用アダプタ。
【請求項４】
その先端面が上記内部空洞内に露出し、後端面が外部に突出したロック用のスイッチを備えており、
このスイッチが、内部空洞の内方に向けて進退可能且つ進退停止可能に装着されており、
このスイッチが、
その先端面に形成された、圧搾処理対象容器のキャップの外周面の縦突条に係合しうる多数本の縦突条、及び、その先端の左右の両側面から小径部の周方向に突出する、先端に向けてその平面視の幅が漸減する楔部、のうちの少なくとも一方を備えている請求項１又は２に記載の吸引具用アダプタ。
【請求項５】
上記内部空洞の内周面に、圧搾処理対象容器の本体の外周面と密に嵌合しうる段差部を有しており、
この段差部は、上記内部空洞の内径が、中心軸方向の奥側から開口側に向けて、急拡大する部位である請求項１から４のいずれかに記載の吸引具用アダプタ。
【考案の詳細な説明】
【技術分野】
【０００１】
本考案は、吸引具用アダプタに関する。詳細には、各種容器をその内部空気を吸引することによって圧搾するために用いられる吸引具用アダプタに関する。
【背景技術】
【０００２】
家庭ゴミも含め、回収物及び廃棄物としてのアルミ缶やペットボトルは、通常は圧搾されてから搬送される。圧搾されて体積が減少した容器は、搬送、保管等が容易になる。これら容器を圧搾するには、その外から強力な圧縮力を負荷する必要がある。一般家庭では、これら容器を足で踏み付けたり、硬い棒や木槌等によって叩き潰し、押しつぶす。例えば、容器の胴部の中腹を足で踏む。そうすると、胴部が大きく凹む。次いで、容器の底部や頂部を踏み付ける。そうすると、容器はさらに小さくなる。かかる原始的な圧搾法は相当の力を要し、力の加え方にも工夫を要する。しかも、手足を怪我するおそれもある。
【考案の概要】
【考案が解決しようとする課題】
【０００３】
本考案は、かかる現状に鑑みてなされたものである。本考案は、容器を、その内部空気を吸引して圧搾する際に、例えば電気掃除機等の既存の空気吸引具を有効に利用するための吸引具用アダプタの提供にある。すなわち、本考案の目的は、空気吸引具が容器の内部空気を容易且つ十分に吸い出すことができるように、その容器と空気吸引具とを連結するための吸引具用アダプタを提供することにある。
【課題を解決するための手段】
【０００４】
本考案に係る吸引具用アダプタは、
本体を備えており、
この本体が、
吸引具の吸引口を接続するための貫通孔と、
圧搾処理対象容器の開口側を接続するための内部空洞とを有しており、
上記貫通孔と上記内部空洞とが互いに連通し、且つ、外部とも連通しており、
この内部空洞が、外部に開口した開口部と、この開口部から奥に向けてその内径が漸減する円錐状内周面部とを含んでいる。
【０００５】
上記貫通孔は、吸引具の吸引口内に挿入されるノズル部の内部通路からなるか、又は、ノズル状の吸引具の吸引口が挿入される孔からなり、上記ノズル部が上記本体の一部を構成しているのが好ましい。
【０００６】
好ましくは、上記内部空洞の内周面に、圧搾処理対象容器のキャップの外周面に形成された縦突条に係合しうる、多数本の突条が形成された部分を有しており、この突条が、上記内部空洞の中心軸方向に延びている。
【０００７】
好ましくは、その先端面が上記内部空洞内に露出し、後端面が外部に突出したロック用のスイッチを備えており、このスイッチが、内部空洞の内方に向けて進退可能且つ進退停止可能に装着されており、このスイッチが、その先端面に形成された、圧搾処理対象容器のキャップの外周面の縦突条に係合しうる多数本の縦突条、及び、その先端の左右の両側面から小径部の周方向に突出する、先端に向けてその平面視の幅が漸減する楔部、のうちの少なくとも一方を備えている。
【０００８】
好ましくは、上記内部空洞の内周面に、圧搾処理対象容器の本体の外周面と密に嵌合しうる段差部を有しており、この段差部は、上記内部空洞の内径が、中心軸方向の奥側から開口側に向けて、急拡大する部位である。
【考案の効果】
【０００９】
本考案に係る吸引具用アダプタによれば、圧搾処理対象の容器と空気吸引具とを、容易に且つ空気漏れを抑制しうるように連結することができる。その結果、上記空気吸引具により、容器の内部空気を効率よく排出し、この容器を圧搾することができる。
【図面の簡単な説明】
【００１０】
【図１】図１は、本考案の一実施形態に係る吸引具用のアダプタを、空気吸引具及び圧搾処理対象容器と共に示す斜視図である。
【図２】図２（ａ）は、図１のアダプタの底面図であり、図２（ｂ）は、図２（ａ）におけるＩＩ−ＩＩ線に沿って見た断面図であり、図２（ｃ）は、図２（ａ）のアダプタの右側面図である。
【図３】図３（ａ）は、本考案の他の実施形態に係るアダプタを示す斜視図であり、図３（ｂ）は、図３（ａ）におけるＩＩＩ−ＩＩＩ線に沿って見た断面図である。
【考案を実施するための形態】
【００１１】
以下、適宜図面が参照されつつ、実施形態に基づいて本考案が詳細に説明される。
【００１２】
図１には、本考案の一実施形態に係る吸引具用のアダプタ２が示されている。この吸引具用アダプタ２を、以下、単にアダプタ２と呼ぶ。図１には、このアダプタ２と共に、空気吸引具として電気掃除機Ｃが例示され、圧搾処理対象容器としてポリエチレンテレフタレートからなるボトル（ペットボトルと言う）Ｂが例示されている。図示の電気掃除機ＣとペットボトルＢとアダプタ２とは、接続されていない状態である。圧搾処理対象容器としては、他に、アルミ缶、ブリキ缶等が例示されうる。
【００１３】
電気掃除機Ｃは、その吸引ノズルＮを備えたハンドル部Ｈが示されている。吸引ノズルＮには、吸引口Ｖが設けられている。この吸引口Ｖは、電気掃除機Ｃの部品であるパイプやブラシが装着される部分である。ペットボトルＢは、そのキャップＣＡを含んだ上部が示されている。電気掃除機Ｃが用いられる場合、このアダプタ２は、掃除機のパイプやブラシが装着されるハンドルの先端に接続される。また、圧搾処理対象容器は、その開口部側がアダプタ２に接続される。
【００１４】
ペットボトルＢのキャップＣＡの外周面には、開閉容易のためにギザギザＳが全周にわたって形成されている。このギザギザＳは、キャップＣＡの中心軸方向に延びる多数本の縦突条から成る。また、ペットボトルＢの首部には、キャップＣＡの位置を安定させるために、周方向に延びる突条Ｔが形成されている。図示していないが、圧搾処理対象容器の一例であるアルミ缶は、通常は、その上端面（天井板）の外周縁に、胴部の上端縁と、天井板の周縁とを折り合わせて接合した部分である突条部を有している。
【００１５】
図１及び図２に示されるように、アダプタ２は、本体４を有している。本実施形態では、本体４は、互いに一体となった胴部６と吸引具接続ノズル８とを備えている。この吸引具接続ノズル８を、ここでは単にノズル部８と呼ぶ。胴部６は有底円筒状を呈している。胴部６は、その下端が開口部１４とされた内部空洞１０を有している。ノズル部８の外形は、外方先端に向かって外径が漸減する切頭円錐状を呈している。
【００１６】
胴部６には、その側周面の外方から内部空洞１０まで、胴部６の中心軸に直交する方向に貫通孔１６が形成されている。この貫通孔１６に、ノズル部８が挿入され、固定されている。従って、図２から明らかなように、本実施形態では、ノズル部８の中心軸は、胴部６の中心軸に対して直交している。ノズル部８の内部通路１２と胴部６の内部空洞１０とは直交し、連通している。このノズル部８の内部通路１２は、アダプタに吸引具の吸引口を接続するための貫通孔の一例である。
【００１７】
上記ノズル部８が電気掃除機Ｃの吸引口Ｖ内に挿入されて密に嵌合することにより、アダプタ２と電気掃除機Ｃとが連結される（図２（ｂ）参照）。上記ノズル部８は、その外周面が切頭円錐状を呈しているので、電気掃除機Ｃの吸引口Ｖの入り口、すなわち吸引ノズルＮの先端と密に嵌合しうる。この部分で、気密性が保たれる。この気密性が保たれた上で、電気掃除機Ｃの吸引力が作用することにより、アダプタ２は電気掃除機Ｃの吸引ノズルＮに保持されうる。なお、ノズル部８の内部通路１２は、アダプタ２にとって、空気を排出する吐出口（空気出口）として機能する。
【００１８】
また、上記胴部６の内部空洞１０内に、圧搾処理対象容器（例えば上記ペットボトルＢ）の開口側が挿入されて密に嵌合することにより、アダプタ２とペットボトルＢとが連結される（図２（ｂ）参照）。従って、この内部空洞１０は、アダプタ２にとって、空気を吸い込む吸引口（空気入り口）として機能する。この状態で電気掃除機Ｃが吸引動作すると、ペットボトルＢ内の空気は、内部空洞１０からノズル部８の内部通路１２を経由して、電気掃除機Ｃの吸引口Ｖに吸い込まれ、排出される。
【００１９】
図２に示されるように、胴部６の内部空洞１０は、その下端の開口部１４側に円錐状内周面部１８を有し、その上方（奥側）に小径部２０を有している。この小径部２０の内径は、一般的なペットボトルＢのキャップＣＡの外径より僅かに大きい。小径部２０には、内部空洞１０に挿入されたペットボトルＢのキャップＣＡが収容されうる。この小径部２０における奥の部分の内周面には、全周に亘って多数本の突条２２が形成されている。この突条２２の向きは、小径部２０の中心軸方向に一致している。この突条２２を縦突条２２と呼ぶ。縦突条２２が形成された内周面は、ペットボトルＢのキャップＣＡの外周面のギザギザ（縦突条）Ｓと係合しうる。その結果、アダプタ２とペットボトルＢとを、それらの中心軸周りに互いに逆方向に回転させると、ペットボトルＢに対するキャップＣＡを緩めることができる。逆に、キャップＣＡを締め付けることもできる。
【００２０】
上記円錐状内周面部１８は、下端の開口部１４から奥に向けて内径が漸減している部分である。円錐状内周面部１８の内径は、奥端（上端）で最小となっている。この円錐状内周面部１８の最小内径は、上記小径部２０の内径より遙かに大きい。すなわち、円錐状内周面部１８と小径部２０との境界部では、内径が急変する段差部２４が形成されている。
【００２１】
上記段差部２４は、僅かに面取りされている。換言すれば、上記段差部２４には、僅かな円錐状部（小円錐部と呼ぶ）２６が形成されている。この小円錐部２６は、小径部２０の中心軸方向に僅かな寸法の範囲にある。小円錐部２６は、下方から奥に向けて内径が漸減している。図２（ｂ）に示されるように、この小円錐部２６には、内部空洞１０に挿入されたペットボトルＢの前述した首部の突条Ｔが押圧される。この部分で、気密性が保たれる。この小径部２０の奥行きは、一般的なペットボトルＢのキャップＣＡの上端から上記首部の突条Ｔまでの寸法より大きくされている。従って、前述のようにペットボトルＢのキャップＣＡを緩めたとしても、小円錐部２６に対するペットボトルＢの突条Ｔの押圧を維持すること、すなわち気密性を維持することができる。上記小円錐部２６は形成されなくてもよい。段差部２４が、胴部６の中心軸を含む平面で切った断面においてほぼ直角の形状であってもよい。そして、ペットボトルＢの首部より僅かに下方の肩部の外径に近い内径を有していてもよい。かかる構成によれば、ペットボトルＢがその開口側から内部空洞１０に挿入されたとき、この段差部２４が全周に亘ってペットボトルＢの肩に押圧される。その結果、この部分で、気密性が保たれる。
【００２２】
円錐状内周面部１８は、その下端の直径が一般的なアルミ缶の胴径より大きくされており、その上端の直径が上記アルミ缶の上端面の外周縁の前述した突条が描く円の直径より小さくされている。図２（ｂ）に示されるように、アルミ缶が内部空洞１０内に挿入された場合、この円錐状内周面部１８には、上記アルミ缶の上端外周の突条が押圧される。その結果、この部分で、気密性が保たれる。
【００２３】
以上のように、圧搾処理対象容器の外周とアダプタ２の内部空洞１０の内周との間の気密性が保たれた上で、吸引具の吸引力が作用することにより、圧搾処理対象容器はアダプタ２に保持されうる。
【００２４】
アダプタ２の材質は特に限定されないが、ウレタンゴムであるのが好ましい。このアダプタ２に、吸引具及び圧搾処理対象容器が接続されたとき、それらとの気密性が向上しうるからである。
【００２５】
このアダプタ２では、胴部６の開口部１４に対して軸方向反対側の外端面２８、すなわち胴部６の奥端側の外端面２８が平坦にされている。この外端面２８は、ほぼ胴部６の中心軸に対して垂直な面とされている。この外端面２８は、ペットボトルＢ、アルミ缶等の処理対象物に対して、その中心軸方向に圧縮力を加えるための作用点として機能しうる。
【００２６】
このアダプタ２と電気掃除機Ｃとを用いて、ペットボトルＢを圧搾する方法の一例を説明する。先ず、アダプタ２のノズル部８を、電気掃除機Ｃの吸引口Ｖに挿入して密に嵌合する。次いで、ペットボトルＢをその頭部から、アダプタ２の内部空洞１０へその開口部１４から挿入する。ここで、ペットボトルＢのキャップＣＡの外周面のギザギザＳが、アダプタ２の小径部２０の縦突条２２に係合する。ペットボトルＢをその中心軸周りに僅かに回転させて、キャップを緩めるか、既に緩んでいることを確認する。もちろん、キャップＣＡを外してから、ペットボトルＢをその開口部１４側から内部空洞１０へ挿入、接続してもよい。ペットボトルＢを、内部空洞１０へ押し込んで、その首部の突条Ｔを内部空洞１０の小円錐部２６に押圧する。そして、電気掃除機Ｃを吸引動作させて、ペットボトルＢの内部空気を排出する。必要に応じて、ペットボトルＢを保持するか底を床面や地面に置いた状態で、胴部６の外端面２８を胴部の中心軸方向に押してペットボトルＢに圧縮力を加える。このようにして、ペットボトルＢを圧搾する。
【００２７】
以上説明された実施形態では、電気掃除機Ｃとの接続のために、電気掃除機Ｃの吸引口Ｖ内に挿入しうるノズル部８を備えている。しかし、かかるノズル部８には限定されない。逆に、電気掃除機Ｃの吸引ノズルＮを挿入しうる貫通孔を有する胴部又はノズル部を備えた吸引具アダプタであってもよい。この場合、上記貫通孔の内周面形状は、外方に向けて内径が漸増する円錐状であってもよい。電気掃除機Ｃの吸引ノズルＮの先端が、全周に亘ってこの貫通孔の内周面に押圧され、この部分で気密性が保たれるからである。
【００２８】
以上説明された実施形態では、小径部２０の内周面の全周にわたり、多数本の縦突条２２が形成されている。しかし、かかる構成には限定されない。小径部２０の内周面には縦突条２２を形成せず、それに代えて、ペットボトルＢのキャップＣＡのギザギザＳに対して係合しうるロック用のスイッチを胴部に備えてもよい。この構成を有するアダプタ３０は、図３を参照しつつ、以下に説明される。
【００２９】
図３（ｂ）に示されるように、このスイッチ３４の先端面には、上記キャップＣＡのギザギザＳに係合しうる複数本の縦突条３６が形成されている。このスイッチ３４は、小径部３２の内部と外部とを連通する貫通孔３８に挿通されている。貫通孔３８及びスイッチ３４の各長手方向（中心軸）は、小径部３２の中心軸と直交している。縦突条３６が形成されたスイッチ３４の先端面は、小径部３２の内部に露出している。ここで、縦突条３６とは、スイッチ３４が貫通孔３８内に装着された姿勢において、小径部３２の中心軸方向（図２（ｂ）における上下方向）に形成されている突条を意味する。
【００３０】
スイッチ３４は、貫通孔３８内において、所定のストロークだけその長手方向に前後動可能にされている。この前後動ストロークは、スイッチ３４に対して上下に貫通された長孔４０と、この長孔４０に挿通された固定ピン４２とによって決定される。固定ピン４２の上下端は、貫通孔３８の床及び天井において小径部３２に固定されている。
【００３１】
スイッチ３４の先端面の下端縁は、図示しないが、傾斜した面取りがされている。ペットボトルＢが内部空洞１０内に挿入されると、同時にキャップＣＡの上端の周縁がこの面取り部を押して、スイッチ３４を外方に移動させる。この動作と同時に、スイッチ３４の縦突条３６がキャップＣＡのギザギザＳに係合する。この状態で、キャップＣＡがスイッチ３４を外方に向けて押している。この状態で、スイッチ３４の後端部が貫通孔３８から外方に僅かに突出するように構成されてもよい。スイッチ３４は、その長孔４０の内方側端部が固定ピン４２に係止されることにより、外方への移動が阻止される。つまり、固定ピン４２が、スイッチ３４の前進後退に対するストッパとして機能する。図３（ｂ）に示される状態となる。その結果、縦突条３６はギザギザＳにしっかりと係合する。スイッチ３４の後端部が貫通孔３８から外方に僅かに突出する構成のスイッチでは、使用者が手指でスイッチ３４の後端部を内方に向けて押せば、よりしっかりと係合する。
【００３２】
上記スイッチ３４の先端の平面視左右両側面に、楔部（図示していない）を形成してもよい。この楔部は、キャップＣＡの外周面とアダプタの小径部３２の内周面との間に食い込んで、キャップＣＡを小径部に効果的に固定するものである。その結果、キャップＣＡを容易に緩めることができる。この楔部は、スイッチ３４の先端の左右の両側面から、小径部３２の周方向に突出している。楔部の平面視の幅は、先端に向けて漸減している。このアダプタでは、スイッチが装着される貫通孔３８の幅は、スイッチの幅より僅かに大きい。スイッチの側面と貫通孔３８の内側面との間に僅かな隙間が生じる。従って、ペットボトルＢを内部空洞１０内に挿入してアダプタを回転させると、摩擦力によってスイッチが横方向に隙間寸法だけ移動する。その分、楔がキャップＣＡの外周面と小径部３２の内周面との間に食い込む。キャップＣＡ、楔部及び小径部３２の三者は、摩擦力によって互いに固定される。従って、このスイッチには、縦突条は特に必要とはしない。もちろん、スイッチ先端面に縦突条を形成してもよい。
【産業上の利用可能性】
【００３３】
本考案の吸引具用アダプタは、電気掃除機に限らず、その他の各種吸引具にも適用することができる。
【符号の説明】
【００３４】
２・・・アダプタ、  ４・・・本体、  ６・・・胴部、  ８・・・ノズル部、
１０・・・内部空洞、  １２・・・（ノズル部の）内部通路、  １４・・・開口部、
１６・・・（ノズル部用）貫通孔、  １８・・・（内部空洞の）円錐状内周面部、
２０・・・（内部空洞の）小径部、  ２２・・・（小径部の）縦突条、
２４・・・（内部空洞の）段差部、  ２６・・・（小径部の）小円錐部、
２８・・・（胴部の）外端面、  ３０・・・アダプタ、  ３２・・・小径部、
３４・・・スイッチ、  ３６・・・（スイッチの）縦突条、
３８・・・（スイッチ用）貫通孔、  ４０・・・（スイッチの）長孔、
４２・・・固定ピン、    Ｂ・・・ペットボトル、    Ｃ・・・電気掃除機、
Ｎ・・・（掃除機の）吸引ノズル、  Ｓ・・・（キャップの）縦突条（ギザギザ）、
Ｔ・・・（ペットボトルの）首部の周囲の突条、  Ｖ・・・（掃除機の）吸引口、
ＣＡ・・・（ペットボトルの）キャップ
【図１】
0003209064.tif 000003
【図２】
0003209064.tif 000004
【図３】
0003209064.tif 000005